(57)【要約】【課題】プリント画像だけを残余の非プリント部分から峻別して、高鮮度につや出し発色させることができるインクジェットプリント用紙を提供する。【解決手段】不透明なプラスチックフィルムや紙などの基材シート（１０）と、その表面へ真空蒸着されたアルミ蒸着膜（１４）又は貼り付けられたアルミ箔（１３）と、その表面へ更に塗工された白色の水溶性インク受容層（１５）との合計３層から成り、そのインク受容層（１５）へ浸透・定着する水性インクによるプリント画像（Ｍ）だけが、残余の非プリント部分（Ｓ）を白色の地肌として、上記アルミ蒸着膜（１４）又はアルミ箔（１３）の光沢を反映し得るように定めた。【選択図】  図２
2004299352.tif 000002
【特許請求の範囲】
【請求項１】
不透明なプラスチックフィルムや紙などの基材シート（１０）と、その表面へ真空蒸着されたアルミ蒸着膜（１４）又は貼り付けられたアルミ箔（１３）と、その表面へ更に塗工された白色の水溶性インク受容層（１５）との合計３層から成り、
そのインク受容層（１５）へ浸透・定着する水性インクによるプリント画像（Ｍ）だけが、残余の非プリント部分（Ｓ）を白色の地肌として、上記アルミ蒸着膜（１４）又はアルミ箔（１３）の光沢を反映し得るように定めたことを特徴とするインクジェットプリント用紙。
【請求項２】
基材シート（１０）の裏面へ離型シート（１２）を剥離自在に貼り合わせたことを特徴とする請求項１記載のインクジェットプリント用紙。
【請求項３】
透明なプラスチックフィルムの基材シート（１０）と、その裏面へ真空蒸着されたアルミ蒸着膜（１４）又は貼り付けられたアルミ箔（１３）と、同じく基材シート（１０）の表面へ塗工された白色の水溶性インク受容層（１５）との合計３層から成り、
そのインク受容層（１５）へ浸透・定着する水性インクによるプリント画像（Ｍ）だけが、残余の非プリント部分（Ｓ）を白色の地肌として、上記アルミ蒸着膜（１４）又はアルミ箔（１３）の光沢を反映し得るように定めたことを特徴とするインクジェットプリント用紙。
【請求項４】
アルミ蒸着膜（１４）又はアルミ箔（１３）の裏面へ離型シート（１２）を剥離自在に貼り合わせたことを特徴とする請求項３記載のインクジェットプリント用紙。
【発明の詳細な説明】
【０００１】
【発明の属する技術分野】
本発明はポスターやカレンダー、吊り広告、ポストカード（絵はがき）、パンフレットなどに有効なインクジェットプリント用紙に係り、殊更そのプリント画像だけを残余の非プリント部分から峻別して、高鮮度につや出し発色させることができるように工夫したものである。
【０００２】
【従来の技術】
アルミニウムから発するメタリック調の光沢を、プリント画像へ裏側から反映させることにより、そのプリント画像をつや出し状態に鮮明化したインクジェットプリント用紙の従来品では、図４のように透明なプラスチックフィルムを基材シート（１）として、その裏面へアルミ蒸着膜（２）を直かに真空蒸着するか、又は別個なアルミ箔（２）を貼り付け一体化する一方、同じく基材シート（１）の表面へ透明な水溶性インク受容層（３）を塗工している。
【０００３】
その場合、光沢度の低くつや消しするため、上記基材シート（１）の表面を荒らして、微細な凹凸（４）を付与するか、又は微粒子から成るマット剤（４）を塗工したインクジェットプリント用紙や、上記アルミ蒸着膜（２）又はアルミ箔（２）の裏面へ離型シート（５）を貼り合わせたインクジェットプリント用紙も公知である。
【０００４】
【発明が解決しようとする課題】
ところが、このようなインクジェットプリント用紙の構成では、そのインク受容層（３）へ浸透・定着する水性インキによるプリント画像（Ｍ）のみならず、残余の非プリント部分（Ｓ）にも裏側からアルミニウムのメタリック調光沢が反映するため、その画像（Ｍ）がプリントされた紙面を正面から直視した場合、そのプリント画像（Ｍ）と非プリント部分（Ｓ）との相互間に光沢差又はコントラストが無く、紙面全体の暗くぼやけた単調な沈滞状態に看取されることとなり、プリント画像（Ｍ）に所謂深み感を印象づけることができない。
【０００５】
又、上記画像（Ｍ）がプリントされたインクジェットプリント用紙の紙面を、光の当たる一定角度だけ傾斜させて観察した場合には、そのプリント画像（Ｍ）のみならず、残余の非プリント部分（Ｓ）も含む紙面全体が、メタリック調にギラギラと照り輝いて、プリント画像（Ｍ）を見苦しくなり、その結果例えばポスターやカレンダー、吊り広告などのように、一定角度の傾斜方向から看者される用途向けとしては、不適当の謗りを免れない。
【０００６】
そして、このことは上記基材シート（１）の表面を光沢度の低くつや消し加工したとしても、決して改良されるものではない。その基材シート（１）とインク受容層（３）との何れも透明であり、上記アルミ蒸着膜（２）又はアルミ箔（２）のシルバー色が地肌又は背景として、インク受容層（３）の全体へ裏側から反映するようになっているからである。
【０００７】
【課題を解決するための手段】
本発明はこのような課題の改良を企図しており、そのためのインクジェットプリント用紙として、第１に不透明なプラスチックフィルムや紙などの基材シートと、その表面へ真空蒸着されたアルミ蒸着膜又は貼り付けられたアルミ箔と、その表面へ更に塗工された白色の水溶性インク受容層との合計３層から成り、
【０００８】
そのインク受容層へ浸透・定着する水性インクによるプリント画像だけが、残余の非プリント部分を白色の地肌として、上記アルミ蒸着膜又はアルミ箔の光沢を反映し得るように定めたことを特徴とし、
【０００９】
又、第２に透明なプラスチックフィルムの基材シートと、その裏面へ真空蒸着されたアルミ蒸着膜又は貼り付けられたアルミ箔と、同じく基材シートの表面へ塗工された白色の水溶性インク受容層との合計３層から成り、
【００１０】
そのインク受容層へ浸透・定着する水性インクによるプリント画像だけが、残余の非プリント部分を白色の地肌として、上記アルミ蒸着膜又はアルミ箔の光沢を反映し得るように定めたことを特徴とするものである。
【００１１】
【発明の実施の形態】
以下、図面に基いて本発明の具体的構成を詳述すると、先ずそのインクジェットプリント用紙の第１実施形態を示した図１、２において、（１０）はインクジェットプリンターによる搬送特性を備えた一定な厚み（例えば約２０〜３００μｍ）の基材シートであり、その基材シート（１０）としては通常の天然パルプを主とする上質紙、中質紙などの所謂原紙のみならず、アート紙やコート紙などの塗工紙、各種合成紙、不透明なプラスチックフィルムが使用される。
【００１２】
本発明のインクジェットプリント用紙を各種の対象物へ貼り付け使用できるようにするため、上記基材シート（１０）の裏面へ粘着剤層（１１）を介して、その基材シート（１０）と同様な紙やプラスチックフィルムから成る離型シート（１２）を、剥離自在に貼り合わせても良い。そうすれば、インクジェットプリンターでの搬送特性も向上させることができる。
【００１３】
（１３）は上記基材シート（１０）の表面へ接着剤（図示省略）を介して貼り付け一体化された極薄のアルミ箔であるが、その基材シート（１０）としてポリエステルフィルムやその他のプラスチックフィルムを採用する場合には、別個な上記アルミ箔（１３）の貼り付けに代えて、そのプラスチックフィルムの表面へアルミ蒸着膜（１４）を直かに真空蒸着しても良く、何れにしてもアルミニウムから発するシルバー色のメタリック調光沢が、後述のプリント画像だけに反映し得るよう裏打ちされた状態にある。
【００１４】
（１５）は上記アルミ箔（１３）又はアルミ蒸着膜（１４）の表面へ、更に一定な厚み（例えば約１０〜３０μｍ）だけ被覆状態に塗工された水溶性のインク受容層であり、これは顔料と水溶性バインダーを主成分として、その主成分にインク定着剤や分散剤、消泡剤、蛍光増白剤などの各種添加剤が適当に配合された塗被組成物から成る。
【００１５】
そのインク受容層（１５）の顔料としては、シリカやアルミナ、擬ベーマイト、水酸化アルミニウム、珪酸アルミニウム、珪酸カルシウム、炭酸マグネシウム、カオリン、クレー、二酸化チタンなどの白色顔料を採用し、その白色顔料を全体の少なくとも約５０重量％、好ましくは約７０〜８０重量％の多く含有させることにより、インク受容層（１５）を高度な白色状態に保って、上記アルミニウムから発するシルバー色と峻別させるのである。
【００１６】
又、同じくインク受容層（１５）の水溶性バインダーとしては、ポリビニルアルコールやポリビニルピロリドン、アクリル酸エステル及びメタクリル酸エステルの重合体などを採用し、その好ましい混合比率は全体の約１５〜１８重量％である。尚、上記蛍光増白剤の適当な微量を添加することも、インク受容層（１５）における白色化の調整に役立つ。
【００１７】
（Ｍ）はこのような構成のインクジェットプリント用紙へ、インクジェットプリンターにより表側からカラープリントされた文字や図柄などの画像を示しているが、そのプリンターのインキは水性の顔料インキ又は染料インキであり、これが上記インク受容層（１５）に浸透・定着されるため、そのプリント画像（Ｍ）の輪郭内部だけに上記アルミ箔（１３）又はアルミ蒸着膜（１４）から発するメタリック調の光沢が反映し、鮮明につや出しされた状態のプリント画像（Ｍ）として表出する結果となる。
【００１８】
その場合、インクジェットプリンターの水性インクが浸透せず、言わば余白となる非プリント部分（Ｓ）では、インク受容層（１５）自体の白色がそのまま地肌又は背景として残るため、上記裏打ち状態にあるアルミニウムのメタリック調光沢が反映するプリント画像（Ｍ）と、その白色に表出する非プリント部分（Ｓ）との光沢差又はコントラストが大きくなる。
【００１９】
その結果、画像（Ｍ）がプリントされたインクジェットプリント用紙の紙面を、正面から直視するも、その全体の暗くぼやけた沈滞状態にならず、プリント画像（Ｍ）を所謂メリハリのある浮き上がり状態に看取することができ、又同じく紙面を一定角度だけ傾斜させて観察した場合にも、非プリント部分（Ｓ）を含む紙面全体がギラギラと見苦しく照り輝くおそれがない。
【００２０】
その意味から、図１に例示するような非プリント部分（Ｓ）となる抜き文字を、ベタ刷り状態の図形画像（Ｍ）により縁取り区成した場合、そのアルミニウムのメタリック調光沢が反映したつや出し状態の図形画像（Ｍ）と、その白色のままに残る非プリント部分（抜き文字）（Ｓ）とを極立たせて、鮮明に看取することができることになる。
【００２１】
特に、インクジェットプリンターの水性インキを黄色としてプリントした場合、その黄色のプリント画像（Ｍ）が裏打ち状態にあるアルミニウムの光沢を受けて、ゴールド色に看取されることとなるため、インクジェットプリント用紙としての高級感を与えることにも役立つ。
【００２２】
次に、図３は本発明の第２実施形態を示しており、これでは基材シート（１０）を透明なポリエステルフィルムやポリカーボネートフィルム、アセテートフィルムなどのプラスチックフィルムとして、その裏面へ直かにアルミ蒸着膜（１４）を真空蒸着している。
【００２３】
そのアルミ蒸着膜（１４）の真空蒸着に代えて、基材シート（１０）の裏面へ別個なアルミ箔（１３）を貼り付け一体化しても良いことや、そのアルミ蒸着膜（１４）又はアルミ箔（１３）の裏面へ、更に紙やプラスチックフィルムなどの離型シート（１２）を剥離自在に貼り合わせても良いことは、図１、２の上記第１実施形態と同様である。
【００２４】
そして、同じく基材シート（１０）の表面へ白色の水溶性インク受容層（１５）を塗工し、これに浸透・定着する水性インキによるプリント画像（Ｍ）だけが、上記アルミ蒸着膜（１４）又はアルミ箔（１３）から基材シート（１０）の透明なプラスチックフィルムを通じて、そのアルミニウムのメタリック調光沢を反映するようになっている。
【００２５】
そのため、第２実施形態の構成を採用するも、上記第１実施形態と同じ効果を期待することができ、ポスターやカレンダー、吊り広告、ポストカード（絵はがき）、パンフレットなどに有用なインクジェットプリント用紙を得られる。
【００２６】
尚、本発明の第２実施形態におけるその他の構成は上記第１実施形態と実質的に同一であるため、その図３に図１、２との対応符号を記入するにとどめて、その詳細な説明を省略する。
【００２７】
【発明の効果】
以上のように、本発明のインクジェットプリント用紙は不透明なプラスチックフィルムや紙などの基材シート（１０）と、その表面へ真空蒸着されたアルミ蒸着膜（１４）又は貼り付けられたアルミ箔（１３）と、その表面へ更に塗工された白色の水溶性インク受容層（１５）との合計３層から成り、
【００２８】
そのインク受容層（１５）へ浸透・定着する水性インクによるプリント画像（Ｍ）だけが、残余の非プリント部分（Ｓ）を白色の地肌として、上記アルミ蒸着膜（１４）又はアルミ箔（１３）の光沢を反映し得るように定めてあるため、冒頭に述べた従来技術の課題を確実に改良できる効果がある。
【００２９】
即ち、本発明の上記構成によれば、インクジェットプリンターの水性インクがインク受容層（１５）へ浸透・定着して、文字や図柄などの画像（Ｍ）をプリントすることになるため、そのプリント画像（Ｍ）には裏側からアルミ箔（１３）又はアルミ蒸着膜（１４）のメタリック調光沢が反映し、これをつや出し状態に表出させることができる。
【００３０】
他方、インクジェットプリンターの水性インクが浸透せず、言わば余白となる非プリント部分（Ｓ）では、インク受容層（１５）自体の白色が地肌又は背景として残るため、その白色の非プリント部分（Ｓ）と上記アルミニウムの光沢を反映するプリント画像（Ｍ）との相互間に、大きな光沢差又はコントラストが発生する。
【００３１】
その結果、画像（Ｍ）がプリントされたインクジェットプリント用紙の紙面を、正面から直視するも、従来品のように全体の暗くぼやけた単調な沈滞状態にならず、又その紙面を一定角度だけ傾斜させて観察した場合にも、非プリント部分（Ｓ）を含む紙面全体がギラギラと見苦しく照り輝くおそれなく、希望のプリント画像（Ｍ）だけを非プリント部分（Ｓ）との所謂メリハリがある鮮明な浮き上がり状態に看取でき、特にポスターやカレンダー、吊り広告などに有効なインクジェットプリント用紙として提供し得る効果がある。
【００３２】
そして、このような効果は請求項３の構成を採用するも、全く同様に達成することができる。又、請求項２や請求項４の構成を採用するならば、本発明に係るインクジェットプリント用紙の個人用途として、希望のポストカードやステッカー、ラベル、シールなどを作成することに役立ち、希望の対象物へ貼り付け使用できることとも相俟って、著しく便利である。
【図面の簡単な説明】
【図１】本発明に係る画像をプリントしたインクジェットプリント用紙の平面図である。
【図２】図１の２−２線に沿う拡大断面図である。
【図３】本発明に係るインクジェットプリント用紙の第２実施形態を示す図２に対応する拡大断面図である。
【図４】従来のインクジェットプリント用紙を示す図２に対応する断面図である。
【符号の説明】
（１０）・基材シート
（１１）・粘着剤層
（１２）・離型シート
（１３）・アルミ箔
（１４）・アルミ蒸着膜
（１５）・インク受容層
（Ｍ）・プリント画像
（Ｓ）・非プリント部分
【図１】
2004299352.tif 000003
【図２】
2004299352.tif 000004
【図３】
2004299352.tif 000005
【図４】
2004299352.tif 000006